(57)【要約】【課題】聴取環境に合うように音楽データを記録することができるオーディオ記録装置、その記録方法、プログラムおよびそのプログラムを記録した記録媒体を提供する。【解決手段】ディスク記録装置１０は、複数の聴取環境に対応するダイナミックレンジ圧縮回路１２の圧縮特性を設定する複数の録音設定データをメモリ１８に記録しており、ユーザが選択した聴取環境に対応する録音設定データに基づきダイナミックレンジ圧縮回路１２により音楽信号ＳＡのダイナミックレンジを圧縮し、圧縮後の音楽信号ＳＡに対応する音楽データをディスク３０に記録する。【選択図】　　　　図１
2004022124.tif 000002
【特許請求の範囲】
【請求項１】
任意の音楽データをディスク記録媒体に記録するオーディオ記録装置の記録方法において、
前記音楽データの聴取環境が選択される選択手順と、
選択された前記聴取環境に応じて、前記音楽データのダイナミックレンジを圧縮する圧縮手順と、
圧縮後の音楽データを前記ディスク記録媒体に記録する記録手順と
からなることを特徴とするオーディオ記録装置の記録方法。
【請求項２】
任意の音楽データをディスク記録媒体に記録するオーディオ記録装置において、
前記音楽データのダイナミックレンジを圧縮する圧縮手段と、
音楽データの聴取環境毎の前記圧縮手段の圧縮特性を設定する設定データを複数記憶する記憶手段と、
前記音楽データの聴取環境を選択する選択手段とを有し、
選択した前記聴取環境に対応する前記設定データに従って前記圧縮手段により前記音楽データのダイナミックレンジを圧縮し、圧縮後の音楽データを前記ディスク記録媒体に記録することを特徴とするオーディオ記録装置。
【請求項３】
任意の音楽データをディスク記録媒体に記録可能なコンピュータに、
前記音楽データの聴取環境を選択する選択手順と、
選択した前記聴取環境に応じて、前記音楽データのダイナミックレンジを圧縮する圧縮手順と、
圧縮後の音楽データを前記ディスク記録媒体に記録する記録手順とを実行させるためのプログラム。
【請求項４】
任意の音楽データをディスク記録媒体に記録可能なコンピュータに、
前記音楽データの聴取環境を選択する選択手順と、
選択した前記聴取環境に応じて、前記音楽データのダイナミックレンジを圧縮する圧縮手順と、
圧縮後の音楽データを前記ディスク記録媒体に記録する記録手順とを実行させるためのプログラムを記録したコンピュータ読み取り可能な記録媒体。
【発明の詳細な説明】
【０００１】
【発明の属する技術分野】
本発明は、オーディオ記録装置の記録方法、オーディオ記録装置、プログラムおよび記録媒体に関する。
【０００２】
【従来の技術】
ＣＤ（Ｃｏｍｐａｃｔ　Ｄｉｓｃ）に記録された音楽データや、インターネットを経由して取得した音楽データを音質を劣化させることなく記録できるオーディオ記録装置が広く普及している。この種のオーディオ記録装置には、ＣＤ−Ｒ／ＲＷドライブが接続されたパーソナルコンピュータ、ＣＤ−Ｒ／ＲＷレコーダ、ＭＤ（ＭｉｎｉＤｉｓｃ）レコーダ、ＤＶＤ（Ｄｉｇｉｔａｌ　Ｖｅｒｓａｔｉｌｅ　Ｄｉｓｋ）レコーダなどがある。
【０００３】
また、この種の音楽データが記録されたディスクを再生するプレーヤについて、屋内で使用するもの以外にも、車載可能であったり、携帯可能なものなど様々なタイプが登場している。これにより、ＣＤやＤＶＤなどに記録された、ダイナミックレンジが広く、Ｓ／Ｎ比の高い高品質な音楽を車内、電車内などの様々な場所で聞くことが可能になっている。
【０００４】
【発明が解決しようとする課題】
しかしながら、車内や電車内などの暗騒音レベルが高い環境下で広いダイナミックレンジ記録された音楽を聴くと、小さい音が暗騒音に埋もれて聞きづらく、小音量のシーンでボリュームを合わせると大音量のシーンでは音量が大きくなりすぎるといった問題があった。このため、小さな音も大きな音も良好な音量で聞くには聴取者が頻繁にボリュームを操作しなければならなくなる、といった煩雑な操作が必要となってしまっていた。
【０００５】
本発明は、上述された従来技術に介在する問題を解決するためになされたものであり、聴取環境に合うように音楽データを記録することができるオーディオ記録装置、その記録方法、プログラムおよびそのプログラムを記録した記録媒体を提供することを目的としている。
【０００６】
【課題を解決するための手段】
上述課題を解決するため、本発明は、任意の音楽データをディスク記録媒体に記録するオーディオ記録装置の記録方法において、前記音楽データの聴取環境が選択される選択手順と、選択された前記聴取環境に応じて、前記音楽データのダイナミックレンジを圧縮する圧縮手順と、圧縮後の音楽データを前記ディスク記録媒体に記録する記録手順とからなることを特徴とする。
この方法によれば、音楽データのダイナミックレンジを、選択された聴取環境に応じて圧縮して記録するので、聴取環境に応じて適切なダイナミックレンジで音楽データを記録することができる。
【０００７】
また、本発明は、任意の音楽データをディスク記録媒体に記録するオーディオ記録装置において、前記音楽データのダイナミックレンジを圧縮する圧縮手段と、音楽データの聴取環境毎の前記圧縮手段の圧縮特性を設定する設定データを複数記憶する記憶手段と、前記音楽データの聴取環境を選択する選択手段とを有し、選択した前記聴取環境に対応する前記設定データに従って前記圧縮手段により前記音楽データのダイナミックレンジを圧縮し、圧縮後の音楽データを前記ディスク記録媒体に記録することを特徴とする。
この構成によれば、選択した聴取環境に対応する設定データに従って圧縮手段により音楽データのダイナミックレンジを圧縮して記録するので、音楽データを、その聴取環境に応じて適切なダイナミックレンジで記録することができる。
【０００８】
また、本発明は、以上説明したオーディオ記録装置の記録方法を使用する他、その方法を実施するためのプログラムを電気通信回線を介して一般ユーザに配布したり、そのようなプログラムを、コンピュータに読み取り可能な記録媒体に格納して一般ユーザに配布する、といった態様でも実施され得る。
【０００９】
【発明の実施の形態】
以下、図面を参照して本発明の実施形態を詳述する。以下に示す実施形態は、本発明の一態様を示すものであり、本発明の範囲内で任意に変更可能である。
【００１０】
（１）　実施形態
図１は、オーディオ記録装置として、本発明の実施形態に係るディスク記録装置１０の構成を示す図である。このディスク記録装置１０において、外部インターフェース（外部Ｉ／Ｆ）１１は、複数の音声入力端子を備え、この音声入力端子を介してＣＤプレーヤ、ＤＶＤプレーヤなどのオーディオ再生装置から出力された音楽信号ＳＡを選択的に入力する。
【００１１】
ダイナミックレンジ圧縮回路１２は、制御部１３の制御の下、入力した音楽信号ＳＡのダイナミックレンジを圧縮して記録変調回路１４に出力する。ここで、図２は、ダイナミックレンジ圧縮回路１２の構成を示す図である。
同図に示すように、ダイナミックレンジ圧縮回路１２は、振幅検出器（整流器）２０によって入力した音楽信号ＳＡの平均信号レベルを検出し、この検出結果に応じたゲインをゲインコントロールアンプ２１にて音楽信号ＳＡに乗算することにより、音楽信号ＳＡの信号パワーレベルを変化させて音楽信号ＳＡ１を出力する。この場合、入力した音楽信号ＳＡの平均信号レベルが大きいほどゲインを小さくすることにより、音楽信号ＳＡのダイナミックレンジが圧縮されて出力される。
後段で詳細に説明するが、この音楽信号ＳＡの平均信号レベルからゲインを設定するためのゲイン設定テーブルが、制御部１３によって様々なテーブルに設定されるようになされている。
【００１２】
また、ダイナミックレンジ圧縮回路１２においては、制御部１３が時定数回路２２の時定数を制御することによって、音楽信号ＳＡの音の立ち上がり（信号レベルが小から大に変化）のゲイン変化率と、音の立ち下がり（信号レベルが大から小に変化）でのゲイン変化率とが制御される。すなわち、制御部１３によって、いわゆるアタックタイムとリリースタイムが設定される。なお、音の立ち上がりでは、信号レベルが大きくなりすぎてクリップしないように時定数を小さくしてゲインを素早く下げる一方、音の立ち下がりでは時定数を大きくしてゲインをゆっくり上げるようにする。
【００１３】
なお、ダイナミックレンジ圧縮回路１２は、上記処理をディジタル処理で行うコンプレッサディジタル回路（例えば、コンプレッサ用ＩＣ）によって構成してもよいし、上記処理をアナログ処理で行うアナログ回路で構成してもよい。
【００１４】
前掲図１に示すように、記録変調回路１４は、制御部１３の制御の下、ダイナミックレンジ圧縮回路１２から出力された音楽信号ＳＡ１（ディジタル信号）に対し、ＣＤ−Ｒドライブの場合、レッドブックに従った誤り訂正符号の付加、変調処理などを施して記録用の音楽データを生成する。
ディスクドライブ部１５は、制御部１３の制御の下、装填されたＣＤ−ＲやＣＤ−ＲＷなどの書き込み可能なディスク３０に、記録変調回路１４によって生成された音楽データなどを書き込む。なお、これら記録変調回路１４およびディスクドライブ部１５は、従来のＣＤレコーダのものと同様のものを適用すればよいので、詳細な説明は省略する。
【００１５】
操作部１６は、電源のオンオフ、入力する音声信号ＳＡの選択、ディスクドライブ部１５のディスクトレイ（図示せず）の出し入れ、聴取環境の選択、録音開始、録音停止などの各種指示をユーザが入力するための操作子を備え、各操作子の操作を制御部１３に通知する。ここで、聴取環境の選択は、音声信号ＳＡの録音開始前にユーザが選択しておく設定であり、ユーザがこのディスク記録装置１０にて音楽データを記録したディスク３０を再生するときの環境を選択するものである。また、聴取環境は、聴取環境を暗騒音レベルの違いで区分けした環境名が用いられる。例えば、聴取環境は、室内、車内、電車内、といった区分けが適用される。なお、車内については、スポーツカーとそれ以外の車種とでは暗騒音レベルが大きく違うため、スポーツカーとそれ以外の車種とを別の聴取環境としたり、使用するタイヤの種類によって暗騒音レベルが大きく違うため、タイヤ種類別の聴取環境としたり、電車内について、新幹線とそれ以外の電車とを別の聴取環境とするなど、さらに細かく聴取環境を区分けしてもよい。
【００１６】
制御部１３は、ユーザによる操作部１６の操作に従って、このディスク記録装置１０を構成する各部に制御信号を送ることによってディスク記録装置１０の制御中枢として機能する。
表示部１７は、ユーザがこのディスク記録装置１０を操作するための各種情報を表示するものであって、制御部１３の制御の下、操作部１６の操作によって設定された聴取環境、録音中などの情報を表示する。
【００１７】
メモリ１８は、制御部１３が読み出して実行するプログラムや、複数の録音設定データＤＲｋ（ｋ＝１〜ｎ）が記憶される。ここで、録音設定データＤＲ１〜ＤＲｎは、操作部１６の操作によって選択される聴取環境毎の暗騒音に小さい音が埋もれないように録音するための情報である。以下、説明の便宜上、録音設定データＤＲ１〜ＤＲｎを特に区別する必要がないときは録音設定データＤＲと表記する。
【００１８】
具体的には、録音設定データＤＲは、ダイナミックレンジ圧縮回路１２の設定を行うための情報であり、入力信号レベルに対する出力信号レベルのゲインを設定するゲイン設定テーブルと、時定数回路２２のゲイン変化率（アタックタイム、リリースタイム）を設定する情報とで構成される。
例えば、ゲイン設定テーブルは、図３に示すダイナミックレンジを４０［ｄＢ］圧縮する場合のダイナミックレンジ圧縮特性を再現する変換テーブルである。簡単に説明すると、暗騒音レベルが大きい聴取環境に対応する録音設定データＤＲほど、ダイナミックレンジを大きく圧縮する設定になされている。
また、メモリ１８には、ユーザが操作部１６を介して選択した聴取環境から、対応する録音設定データＤＲを特定するためのテーブル情報などがさらに記憶される。
【００１９】
次に、このディスク記録装置１０の動作を説明する。
このディスク記録装置１０において、ユーザが操作部１６を操作して電源がオンされると、制御部１３は、操作部１６の操作に従って、入力する音楽信号ＳＡの切り替え処理、ディスクトレイの移動処理、聴取環境の選択の受け付け処理、録音処理などを行う。ここで、聴取環境の選択の受け付け処理は、制御部１３が、操作部１６の操作に従って設定すべき聴取環境を切り替えると共に、表示部１７に現在設定されている聴取環境名を表示させる処理である。
【００２０】
次に、制御部１３が実行する録音処理を図４に示すフローチャートを参照しながら説明する。
まず、制御部１３は、操作部１６によって録音開始が指示されると、ディスクドライブ部１５に書き込み可能なディスクが装填されているか否かを判断する（ステップＳ１０）。
【００２１】
このステップＳ１０の判断が「ＮＯ」の場合には、制御部１３は、書き込み可能なディスクが装填されていない旨、若しくは、ディスクを装填して下さいといった旨のメッセージを表示部１７に表示させるメッセージ表示処理を行い（ステップＳ１１）、その後、処理をステップＳ１２の処理に進める。
ステップＳ１２の処理は、ディスクが装填されたか否かを判断する処理であり、制御部１３は、ディスクが装填されるまで録音処理を一時中断する。なお、この場合でも、ユーザが操作部１６を操作して録音中止などの所定の指示を行うと、制御部１３は、録音処理を中止すべく割り込み処理を行い、電源がオンされた時の初期状態（様々な操作を受け付ける状態）に移行するようになされている。
【００２２】
一方、ディスクが装填されると、ステップＳ１２の判断は「ＹＥＳ」となり、制御部１３は、処理をステップＳ１０の処理に移行する。
ステップＳ１０の判断において、装填されているディスクが書き込み可能なディスクの場合には「ＹＥＳ」となり、制御部１３は、処理をステップＳ１３の処理に進める。
ステップＳ１３の処理は、制御部１３が、現在設定されている聴取環境に対応する録音設定データＤＲをメモリ１８から取得し、ダイナミックレンジ圧縮回路１２に設定する処理である。すなわち、制御部１３は、ダイナミックレンジ圧縮回路１２が、取得した録音設定データＳＲのゲイン設定テーブルに基づいてゲインを設定すると共に、時定数回路２２のゲイン変化率（アタックタイム、リリースタイム）を設定する。
【００２３】
ステップＳ１３の処理が終了すると、制御部１３は、処理をステップＳ１４の処理に進め、ダイナミックレンジ圧縮回路１２を制御して入力した音楽信号ＳＡのダイナミックレンジ圧縮処理を実行させる。また、制御部１３は、記録変調回路１４によりダイナミックレンジ圧縮回路１２から出力された音楽信号ＳＡ１から記録用の音楽データを生成させ、ディスクドライブ部１５によるディスク３０への書き込み制御を行う。
【００２４】
これにより、入力した音楽信号ＳＡがダイナミックレンジを圧縮されてディスク３０に記録される。このとき、ダイナミックレンジをどの程度圧縮させるかは、ユーザによって選択された聴取環境に応じて決められる。したがって、入力した音楽信号ＳＡをそのまま録音（記録）した場合には、ダイナミックレンジが広いことによって、同一のボリューム位置では小さい音が聴取環境の暗騒音に埋もれてしまうか、大きい音が異様に大きい音量で再生されてしまっていたのを回避するように録音することができる。
なお、図示はしていないが、制御部１３は、操作部１６の操作によって録音停止の指示を入力するか、または、ディスク３０の記録領域全てにデータの書き込みを行うと、割り込み処理を行い、録音処理を中止すべくこのステップＳ１４の処理を終了し、初期状態に移行する。
【００２５】
以上説明したように、本実施形態に係るディスク記録装置１０によれば、入力した音楽信号ＳＡを、ユーザが選択した聴取環境に応じてダイナミックレンジを圧縮してディスク３０に記録することにより、音楽信号ＳＡ１をそのまま録音（記録）した場合には、再生時に同一のボリューム位置では、小さい音が聴取環境の暗騒音に埋もれてしまうか、大きい音が異様に大きい音量で再生されてしまっていたのを回避するように録音することができる。言い換えれば、聴取環境に応じて変化する人間の耳の音楽鑑賞に適したダイナミックレンジに納まるように、音楽データを録音することが可能となる。
【００２６】
（２）　補足
本願発明は、上述した実施形態に限らず種々の態様にて実施することができる。例えば、以下のような変形実施が可能である。
【００２７】
（２．１）
上述の実施形態では、ダイナミックレンジ圧縮回路１２の設定を行うための録音設定データＤＲを、ゲイン設定テーブルと、アタックタイムおよびリリースタイムを設定する情報とから構成する場合について述べたが、本発明はこれに限らず、要は、聴取環境に応じてダイナミックレンジの圧縮量（ダイナミックレンジ圧縮回路１２による圧縮特性）を変えることができれば良く、ゲイン設定テーブルのみでもよい。また、ゲイン設定テーブルを使用する場合に限らず、予め定めた算出式に従って入力信号レベルに対する出力信号レベルのゲインを算出するなど様々なゲイン算出方法を適用することができる。
【００２８】
（２．２）
上述の実施形態では、ダイナミックレンジ圧縮回路１２によるハードウェア処理によってダイナミックレンジ圧縮処理を行う場合について述べたが、パーソナルコンピュータに接続されたディスク記録装置を使って、外部Ｉ／ＦとしてＩＤＥ（Ｉｎｔｅｇｒａｔｅｄ　Ｄｅｖｉｃｅ　Ｅｌｅｃｔｒｏｎｉｃｓ）、ＳＣＳＩ（Ｓｍａｌｌ　Ｃｏｍｐｕｔｅｒ　Ｓｙｓｔｅｍ　Ｉｎｔｅｒｆａｃｅ）、ＵＳＢ（Ｕｎｉｖｅｒｓａｌ　Ｓｅｒｉａｌ　Ｂｕｓ）等を使い、音楽信号ＳＡをディスク記録媒体に記録する場合、アプリケーションソフトによるソフトウェア処理によってダイナミックレンジ圧縮処理を行うようにしてもよい。その際、パーソナルコンピュータが、ダイナミックレンジ圧縮回路１２、表示部１７、操作部１６およびそれらを制御する制御部１３として機能し、パーソナルコンピュータ上のアプリケーションソフトによって制御部１３が実行する録音処理（図４）が実現され、圧縮された音楽信号が外部Ｉ／Ｆを介してディスク記録装置に入力される。
【００２９】
（２．３）
上述の実施形態では、録音専用のディスク記録装置１０に本発明を適用する場合について述べたが、本発明はこれに限らず、要は、オーディオ記録機能を有する装置であれば本発明を適用することができ、オーディオ記録再生装置、ビデオ再生機能を有する再生装置などにも適用可能なことは勿論である。
具体的には、本発明が適用されるオーディオ記録装置は、ＣＤ−Ｒ／ＲＷレコーダ、ＤＶＤレコーダ、ＭＤレコーダが接続されたパーソナルコンピュータである。なお、このオーディオ記録装置が音楽データを記録するディスク記録媒体は、ＣＤ−Ｒ／ＲＷや書き込み可能ＤＶＤなどの光ディスクに限らず、ハードディスク、フロッピーディスク、ＭＯ等の様々なディスク記録媒体を包含する。
【００３０】
（２．４）
また、上述の実施形態では、上述した録音処理を行うプログラムを予めオーディオ記録装置に記憶しておく場合について述べたが、このプログラムを磁気記録媒体、光記録媒体、半導体記憶媒体などのコンピュータが読み取り可能な記録媒体に記録し、コンピュータがこのプログラムを読み取って実行するようにしてもよい。また、このプログラムをネットワークサーバに格納し、パーソナルコンピュータなどのコンピュータが、そのネットワークサーバから電気通信回線を介してプログラムをダウンロードできるようにして、一般ユーザに配布するようにしてもよい。
【００３１】
【発明の効果】
上述したように本発明によれば、聴取環境に応じて適切なダイナミックレンジで音楽データを記録することができる。
【図面の簡単な説明】
【図１】本発明の実施形態に係るディスク記録装置１０の構成を示す図である。
【図２】ダイナミックレンジ圧縮回路の構成を示す図である。
【図３】ダイナミックレンジを４０［ｄＢ］圧縮する場合のダイナミックレンジ圧縮特性を示す図である。
【図４】録音処理を示すフローチャートである。
【符号の説明】
１０……ディスク記録装置、１１……外部Ｉ／Ｆ、
１２……ダイナミックレンジ圧縮回路、１３……制御部、
１４……記録変調回路、１５……ディスクドライブ部、
１６……操作部、１７……表示部、
１８……メモリ、２０……振幅検出器、
２０……振幅検出器、２１……ゲインコントロールアンプ、
２２……時定数回路、３０……ディスク、
ＳＡ、ＳＡ１……音楽信号、
ＤＲ、ＤＲ１〜ＤＲｎ……録音設定データ。
【図１】
2004022124.tif 000003
【図２】
2004022124.tif 000004
【図３】
2004022124.tif 000005
【図４】
2004022124.tif 000006
【手続補正書】
【提出日】平成15年3月18日(2003.3.18)
【手続補正１】
【補正対象書類名】明細書
【補正対象項目名】特許請求の範囲
【補正方法】変更
【補正の内容】
【特許請求の範囲】
【請求項１】
任意の音楽データをディスク記録媒体に記録するオーディオ記録装置の記録方法において、
前記音楽データのダイナミックレンジを圧縮する圧縮手順と、
圧縮後の音楽データを前記ディスク記録媒体に記録する記録手順と
を有することを特徴とするオーディオ記録装置の記録方法。
【請求項２】
任意の音楽データをディスク記録媒体に記録するオーディオ記録装置の記録方法において、
前記音楽データの聴取環境が選択される選択手順と、
選択された前記聴取環境に応じて、前記音楽データのダイナミックレンジを圧縮する圧縮手順と、
圧縮後の音楽データを前記ディスク記録媒体に記録する記録手順と
を有することを特徴とするオーディオ記録装置の記録方法。
【請求項３】
任意の音楽データをディスク記録媒体に記録するオーディオ記録装置において、
前記音楽データのダイナミックレンジを圧縮する圧縮手段を有し、
前記圧縮手段による圧縮後の音楽データを前記ディスク記録媒体に記録することを特徴とするオーディオ記録装置。
【請求項４】
任意の音楽データをディスク記録媒体に記録するオーディオ記録装置において、
前記音楽データのダイナミックレンジを圧縮する圧縮手段と、
音楽データの聴取環境毎の前記圧縮手段の圧縮特性を設定する設定データを複数記憶する記憶手段と、
前記音楽データの聴取環境を選択する選択手段とを有し、
選択した前記聴取環境に対応する前記設定データに従って前記圧縮手段により前記音楽データのダイナミックレンジを圧縮し、圧縮後の音楽データを前記ディスク記録媒体に記録することを特徴とするオーディオ記録装置。
【請求項５】
任意の音楽データをディスク記録媒体に記録可能なコンピュータに、
前記音楽データのダイナミックレンジを圧縮する圧縮手順と、
圧縮後の音楽データを前記ディスク記録媒体に記録する記録手順とを実行させるためのプログラム。
【請求項６】
任意の音楽データをディスク記録媒体に記録可能なコンピュータに、
前記音楽データの聴取環境を選択する選択手順と、
選択した前記聴取環境に応じて、前記音楽データのダイナミックレンジを圧縮する圧縮手順と、
圧縮後の音楽データを前記ディスク記録媒体に記録する記録手順とを実行させるためのプログラム。
【請求項７】
任意の音楽データをディスク記録媒体に記録可能なコンピュータに、
前記音楽データのダイナミックレンジを圧縮する圧縮手順と、
圧縮後の音楽データを前記ディスク記録媒体に記録する記録手順とを実行させるためのプログラムを記録したコンピュータ読み取り可能な記録媒体。
【請求項８】
任意の音楽データをディスク記録媒体に記録可能なコンピュータに、
前記音楽データの聴取環境を選択する選択手順と、
選択した前記聴取環境に応じて、前記音楽データのダイナミックレンジを圧縮する圧縮手順と、
圧縮後の音楽データを前記ディスク記録媒体に記録する記録手順とを実行させるためのプログラムを記録したコンピュータ読み取り可能な記録媒体。
【手続補正２】
【補正対象書類名】明細書
【補正対象項目名】０００６
【補正方法】変更
【補正の内容】
【０００６】
【課題を解決するための手段】
上述した課題を解決するため、本発明は、任意の音楽データをディスク記録媒体に記録するオーディオ記録装置の記録方法において、前記音楽データのダイナミックレンジを圧縮する圧縮手順と、圧縮後の音楽データを前記ディスク記録媒体に記録する記録手順とを有することを特徴とする。この方法によれば、音楽データのダイナミックレンジを圧縮して記録するので、適切なダイナミックレンジで音楽データを記録することができる。
また、本発明は、任意の音楽データをディスク記録媒体に記録するオーディオ記録装置の記録方法において、前記音楽データの聴取環境が選択される選択手順と、選択された前記聴取環境に応じて、前記音楽データのダイナミックレンジを圧縮する圧縮手順と、圧縮後の音楽データを前記ディスク記録媒体に記録する記録手順とを有することを特徴とする。
この方法によれば、音楽データのダイナミックレンジを、選択された聴取環境に応じて圧縮して記録するので、聴取環境に応じて適切なダイナミックレンジで音楽データを記録することができる。


【手続補正３】
【補正対象書類名】明細書
【補正対象項目名】０００７
【補正方法】変更
【補正の内容】
【０００７】
また、本発明は、任意の音楽データをディスク記録媒体に記録するオーディオ記録装置において、前記音楽データのダイナミックレンジを圧縮する圧縮手段を有し、前記圧縮手段による圧縮後の音楽データを前記ディスク記録媒体に記録することを特徴とする。この構成によれば、圧縮手段により音楽データのダイナミックレンジを圧縮して記録するので、音楽データを適切なダイナミックレンジで記録することができる。
さらに、本発明は、任意の音楽データをディスク記録媒体に記録するオーディオ記録装置において、前記音楽データのダイナミックレンジを圧縮する圧縮手段と、音楽データの聴取環境毎の前記圧縮手段の圧縮特性を設定する設定データを複数記憶する記憶手段と、前記音楽データの聴取環境を選択する選択手段とを有し、選択した前記聴取環境に対応する前記設定データに従って前記圧縮手段により前記音楽データのダイナミックレンジを圧縮し、圧縮後の音楽データを前記ディスク記録媒体に記録することを特徴とする。
この構成によれば、選択した聴取環境に対応する設定データに従って圧縮手段により音楽データのダイナミックレンジを圧縮して記録するので、音楽データを、その聴取環境に応じて適切なダイナミックレンジで記録することができる。